(57)【要約】【課題】１つのバッテリーチェッカにより、組電池端子間距離の異なる複数種類の組電池の電圧をチェックすることのできる組電池用バッテリーチェッカを提供すること。【解決手段】チェッカ端子が、マイナス側チェッカ端子１１、第１プラス側チェッカ端子１２、及び第２プラス側チェッカ端子１３を備え、一対の組電池端子の中心距離が相違する第１組電池と第２組電池に対して、マイナス側チェッカ端子１１と第１プラス側チェッカ端子１２を用いて、第１組電池の電圧をチェックし、マイナス側チェッカ端子１１と第２プラス側チェッカ端子１３を用いて、第２組電池の電圧をチェックすることを特徴とする。【選択図】図１
0003180198.tif 000002
【実用新案登録請求の範囲】
【請求項１】
単位電池が複数組み合わされて、一対の組電池端子により、所定の電圧を供給する組電池の電圧をチェックするためのチェッカ端子と、前記所定の電圧値をセットする電圧セットスイッチと、前記チェッカ端子間の電圧が正常か否かを表示する表示器を備える組電池用バッテリーチェッカにおいて、
前記チェッカ端子が、マイナス側チェッカ端子、第１プラス側チェッカ端子、及び第２プラス側チェッカ端子を備え、
前記一対の組電池端子の中心距離が相違する第１組電池と第２組電池に対して、前記マイナス側チェッカ端子と前記第１プラス側チェッカ端子を用いて、前記第１組電池の電圧をチェックし、前記マイナス側チェッカ端子と前記第２プラス側チェッカ端子を用いて、前記第２組電池の電圧をチェックすることを特徴とする組電池用バッテリーチェッカ。
【請求項２】
請求項１に記載する組電池用バッテリーチェッカにおいて、
前記一対の組電池端子が端子孔で構成され、前記端子孔の直径に対して、前記マイナス側チェッカ端子、前記第１プラス側チェッカ端子、及び前記第２プラス側チェッカ端子の直径が１／２以下であること、
前記一対の組電池端子の中心距離が相違する第３組電池と第４組電池の電圧をチェックすること、
前記第３組電池の電圧をチェックするときに、前記マイナス側チェッカ端子と前記第１プラス側チェッカ端子が、前記第３組電池の一対の前記端子孔の両外側部位に位置すること、
前記第４組電池の電圧をチェックするときに、前記マイナス側チェッカ端子と前記第１プラス側チェッカ端子が、前記第４組電池の一対の前記端子孔の両内側部位に位置すること、
を特徴とする組電池用バッテリーチェッカ。
【考案の詳細な説明】
【技術分野】
【０００１】
この考案は、端子位置の異なる複数の組電池に対して、1つのバッテリーチェッカにより、組電池の電圧をチェックすることのできる組電池用バッテリーチェッカに関するものである。
【背景技術】
【０００２】
例えば、自衛隊においては、携帯大型通信機器の電源として、複数種類の組電池を使用している。災害救助等の場面において、電池切れで通信が不良となっては、意味がないため、予備の組電池を含めて常時多数の組電池を携行している。緊急時に、倉庫から持ち出して携行する組電池については、少なくとも、所定の電圧を出力できるか否かをチェックしている。バッテリの電圧をチェックする装置は、広く知られている。例えば、特許文献１を参照。
【先行技術文献】
【特許文献】
【０００３】
【特許文献１】特開2005-195442号
【考案の概要】
【考案が解決しようとする課題】
【０００４】
しかしながら、自衛隊で使用している組電池は、７種類あり、一対の組電池端子の中心距離が電池の種類により大きく相違している。そのため従来、少なくとも、一対のチェッカ端子の中心距離の異なる複数のバッテリーチェッカを常に準備する必要があった。
倉庫が災害救助等の前線に位置する場合、複数のバッテリーチェッカを準備することは余分なスペース、余分な手間を必要とし、問題であった。
【０００５】
本考案は、上記問題点を解決するためになされたものであり、１つのバッテリーチェッカにより、組電池端子の中心距離の異なる複数種類の組電池の電圧をチェックすることのできる組電池用バッテリーチェッカを提供することを目的とする。
【課題を解決するための手段】
【０００６】
上記の問題点を解決するために、本考案の一態様における組電池用バッテリーチェッカは、次の構成を有している。
（１）単位電池が複数組み合わされて、一対の組電池端子により、所定の電圧を供給する組電池の電圧をチェックするためのチェッカ端子と、前記所定の電圧値をセットする電圧セットスイッチと、前記チェッカ端子間の電圧が正常か否かを表示する表示器を備える組電池用バッテリーチェッカにおいて、チェッカ端子が、マイナス側チェッカ端子、第１プラス側チェッカ端子、及び第２プラス側チェッカ端子を備え、一対の組電池端子の中心距離が相違する第１組電池と第２組電池に対して、前記マイナス側チェッカ端子と前記第１プラス側チェッカ端子を用いて、前記第１組電池の電圧をチェックし、前記マイナス側チェッカ端子と前記第２プラス側チェッカ端子を用いて、前記第２組電池の電圧をチェックすることを特徴とする。
【０００７】
（２）（１）に記載する組電池用バッテリーチェッカにおいて、前記一対の組電池端子が端子孔で構成され、前記端子孔の直径に対して、前記マイナス側チェッカ端子、前記第１プラス側チェッカ端子、及び前記第２プラス側チェッカ端子の直径が１／２以下であること、一対の組電池端子の中心距離が相違する第３組電池と第４組電池の電圧をチェックすること、前記第３組電池の電圧をチェックするときに、前記マイナス側チェッカ端子と前記第１プラス側チェッカ端子が、前記第３組電池の一対の前記端子孔の両外側部位に位置すること、前記第４組電池の電圧をチェックするときに、前記マイナス側チェッカ端子と前記第１プラス側チェッカ端子が、前記第４組電池の一対の前記端子孔の両内側部位に位置すること、を特徴とする。
【考案の効果】
【０００８】
上記構成を有する本考案の組電池用バッテリーチェッカの作用・効果について説明する。
（１）単位電池が複数組み合わされて、一対の組電池端子により、所定の電圧を供給する組電池の電圧をチェックするためのチェッカ端子と、前記所定の電圧値をセットする電圧セットスイッチと、前記チェッカ端子間の電圧が正常か否かを表示する表示器を備える組電池用バッテリーチェッカにおいて、チェッカ端子が、マイナス側チェッカ端子、第１プラス側チェッカ端子、及び第２プラス側チェッカ端子を備え、一対の組電池端子の中心距離が相違する第１組電池と第２組電池に対して、前記マイナス側チェッカ端子と前記第１プラス側チェッカ端子を用いて、前記第１組電池の電圧をチェックし、前記マイナス側チェッカ端子と前記第２プラス側チェッカ端子を用いて、前記第２組電池の電圧をチェックすることを特徴とするので、例えば、一対の組電池端子の中心距離が２０．０ｍｍの第１組電池に対して、マイナス側チェッカ端子と第１プラス側チェッカ端子の中心距離が２５．６ｍｍのマイナス側チェッカ端子と第１プラス側チェッカ端子を用いて測定し、一対の組電池の中心距離が１１．８ｍｍの第２組電池に対して、マイナス側チェッカ端子と第２プラス側チェッカ端子との中心距離が１２．８ｍｍのマイナス側チェッカ端子と第２プラス側チェッカ端子を用いて測定しているため、１つの組電池用バッテリーチェッカにより、組電池端子の中心距離の異なる複数種類の組電池の電圧をチェックすることができる。
【０００９】
（２）（１）に記載する組電池用バッテリーチェッカにおいて、前記一対の組電池端子が端子孔で構成され、前記端子孔の直径に対して、前記マイナス側チェッカ端子、前記第１プラス側チェッカ端子、及び前記第２プラス側チェッカ端子の直径が１／２以下であること、一対の組電池端子の中心距離が相違する第３組電池と第４組電池の電圧をチェックすること、前記第３組電池の電圧をチェックするときに、前記マイナス側チェッカ端子と前記第１プラス側チェッカ端子が、前記第３組電池の一対の前記端子孔の両外側部位に位置すること、前記第４組電池の電圧をチェックするときに、前記マイナス側チェッカ端子と前記第１プラス側チェッカ端子が、前記第４組電池の一対の前記端子孔の両内側部位に位置すること、を特徴とするので、例えば、一対の組電池端子の中心距離が２０．０ｍｍの第３組電池に対して、マイナス側チェッカ端子と第１プラス側チェッカ端子との中心距離が２５．６ｍｍのマイナス側チェッカ端子と第１プラス側チェッカ端子を用いて、組電池端子の端子孔の両外側部位に位置させて測定し、一対の組電池端子の中心距離が３２．０ｍｍの第４組電池に対して、マイナス側チェッカ端子と第１プラス側チェッカ端子との中心距離が２５．６ｍｍのマイナス側チェッカ端子と第１プラス側チェッカ端子を用いて、組電池端子の端子孔の両内側部位に位置させて測定しているため、１つの組電池用バッテリーチェッカにより、組電池端子の中心距離の異なる複数種類の組電池の電圧をチェックすることができる。
【図面の簡単な説明】
【００１０】
【図１】組電池用バッテリーチェッカの正面図である。
【図２】カバー付きの組電池用バッテリーチェッカの斜視図である。
【図３】７種類の組電池の各々の組電池端子の端子孔及びその中心距離等と、組電池用バッテリーチェッカのチェッカ端子の位置関係である。
【図４】(a)〜(d)の組電池の電圧をチェックする場合の組電池用バッテリーチェッカの使用時の断面図である。
【図５】(e)の組電池の電圧をチェックする場合の組電池用バッテリーチェッカの使用時の断面図である。
【図６】(f)の組電池の電圧をチェックする場合の組電池用バッテリーチェッカの使用時の断面図である。
【図７】(g)の組電池の電圧をチェックする場合の組電池用バッテリーチェッカの使用時の断面図である。
【図８】入力信号のオフセット回路図である。
【図９】電圧測定手段である。
【図１０】Vcc発生回路図である。
【図１１】組電池の斜視図である。
【考案を実施するための形態】
【００１１】
以下、本考案における組電池用バッテリーチェッカ１を具体化した実施形態につき図面を参照して詳細に説明する。
図１は、本実施形態に係る組電池用バッテリーチェッカ１の正面図である。図２は、カバー２６付きの組電池用バッテリーチェッカ１の斜視図である。図３は、７種類の組電池の各々の組電池端子の端子孔及びその中心距離等と、組電池用バッテリーチェッカ１のチェッカ端子の位置関係を示す。図３の(a)は１８Vの組電池J-5004の電圧をチェックする場合を示し、(b)は１２Vの組電池J-5003の電圧をチェックする場合を示し、(c)は１２Vの組電池J-7001の電圧をチェックする場合を示し、(d)は１８Vの組電池J-7005の電圧をチェックする場合を示し、(e)は１２Vの組電池J-7002の電圧をチェックする場合を示し、(f)は９VのJ-7006の電圧をチェックする場合を示し、(g)は１８Vの組電池J-7007の電圧をチェックする場合を示したものである。ここで、組電池とは、単位電池が複数組み合わされて、一対の組電池端子により、所定の電圧を供給するものである。例えば、自衛隊が使用している組電池は図３に示す７種類（J-7006、J-5003、J-7001、J-7002、J-5004、J-7005、J-7007）である。なお、組電池の名称は仮称である。組電池３の外形及び組電池端子を図１１に示す。図４は(a)〜(d)の組電池の電圧をチェックする場合の組電池用バッテリーチェッカ１の使用時の組電池端子の断面図であり、図５は(e)の組電池をチェックする場合の組電池用バッテリーチェッカ１の使用時の組電池端子の断面図、図６は(f)の組電池をチェックする場合の組電池用バッテリーチェッカ１の使用時の組電池端子の断面図、図７は(g)の組電池をチェックする場合の組電池用バッテリーチェッカ１の使用時の組電池端子の断面図を示す。
【００１２】
組電池用バッテリーチェッカ１の構成を説明する。
組電池用バッテリーチェッカ１は、図１に示すように、下面に３本のピンが一列に並行して突出している。３本のピンは、左からマイナス側チェッカ端子１１、第２プラス側チェッカ端子１３、及び第１プラス側チェッカ端子１２であり、組電池用バッテリーチェッカ１の下部に、左から「−」、「＋」、「＋」の記号が印刷されている。図示しないが、バッテリーチェッカ１の内部にあるバネが、マイナス側チェッカ端子１１、第１プラス側チェッカ端子１２、及び第２プラス側チェッカ端子１３のピン部が外側へ突出する方向へ付勢している。そのため、ピン部に力が加わったときに、３つのチェッカ端子は各々組電池用バッテリーチェッカ１の内部に押し込まれる。マイナス側チェッカ端子１１と第1プラス側チェッカ端子１２の端子間距離はL１＝２５.６ｍｍである。また、マイナス側チェッカ端子１１と第２プラス側チェッカ端子１３の端子間距離はL２＝１２.８ｍｍである。第２プラス側チェッカ端子１３と第１プラス側チェッカ端子１２の端子間距離はL３＝１２.８ｍｍである。３つのチェッカ端子のピン部の各々の直径は、T＝１．９ｍｍである。
【００１３】
組電池用バッテリーチェッカ１の正面中央部には、所定の電圧値をセットするための回転可能に保持された電圧セットスイッチ１４がある。電圧セットスイッチ１４の外側本体部分には水平の左側には９V目盛り１８、垂直の上側には１２V目盛り１９、水平の右側には１８V目盛り２０がある。電圧セットスイッチ１４を指で挟持して回すことで変更することができる。９V目盛り１８付近にはJ-7006の表示があり、１２V目盛り１９付近にはJ-5003、J-7001、J-7002、１８V目盛り２０付近にはJ-5004、J-7005、J7007の表示がある。各々の目盛りに電圧セットスイッチ１４が止まるように付勢手段を施してある。組電池用バッテリーチェッカ１の正面上部左側には、組電池の電圧が所定の適正電圧範囲内であると判断された場合に点灯する緑色のOKランプ１５がある。一方、右側には、組電池の電圧が所定の適正電圧範囲内でないと判断された場合に点灯する赤色のNGランプ１６がある。また、電圧セットスイッチ１４の下には組電池の電圧を示す電圧測定表示部１７がある。電圧測定表示部１７は７セグの表示器で構成され、２ケタの数字まで表示され、小数点以下は１ケタまで表示される。
【００１４】
図２に示すように、組電池用バッテリーチェッカ１の側面上部には、ストラップホルダー２１があり、ここにストラップ２２を連結させる。首や手首にかけられるようにするためである。また、側面下部にはストラップホルダー２３があり、同じくストラップホルダー２５を有するカバー２６とストラップ２４により連結されている。カバー２６により３つのチェッカ端子は覆い被され、保護することができる。
【００１５】
次に、組電池用バッテリーチェッカ１の回路について説明する。
図８に、入力信号のオフセット回路図を示す。図９には、電圧測定手段２を示し、図１０には、Vcc発生回路図を示す。
Vcc発生回路は、図１０に示すように、主にVcc発生主要回路５５で構成される。Vcc発生主要回路５５には、組電池用バッテリーチェッカ１の第１プラス側チェッカ端子１２及び第２プラス側チェッカ端子１３が共に入力端子５４に接続され、マイナス側チェッカ端子１１がグランド４５に接続されている。Vcc発生主要回路５５の出力には、出力端子５６が接続されている。出力端子５６は、図９の入力端子４８に接続されている。
【００１６】
入力信号のオフセット回路は、図８に示すように、第１コンパレータ４１、及び第２コンパレータ４２により構成される。第１コンパレータ４１のプラス入力には、組電池用バッテリーチェッカ１の第１プラス側チェッカ端子１２及び第２プラス側チェッカ端子１３が共に入力端子４４に接続されている。第１コンパレータ４１のマイナス入力には、マイナス側チェッカ端子１１がグランド４５に接続されている。また、第１コンパレータ４１のマイナス入力には可変抵抗４７を介して第１コンパレータ４１の出力に接続されている。また、第１コンパレータ４１の出力は、第２コンパレータ４２のプラス入力に接続している。第２コンパレータ４２の出力は第２コンパレータ４２のマイナス入力に接続している。第２コンパレータ４２の出力は、出力端子４６に接続している。また、出力端子４６は、図９の入力端子４９に接続している。
【００１７】
組電池の電圧は、操作者が電圧セットスイッチ１４を切り替えることにより、可変抵抗４７が変化し、９V、１２V、１８Vの切替えが入力され、それに対応する抵抗値に設定される。第１コンパレータ４１のマイナス入力に入力するオフセット電圧を変化させることにより、第１プラス側チェッカ端子１２、又は第２プラス側チェッカ端子１３からの入力電圧をVcc電圧以下にオフセットして出力端子４６に出力する。第２コンパレータ４２は、出力を安定化させるためのものである。
【００１８】
次に、組電池用バッテリーチェッカ１の作用について説明する。
組電池３は、図１１に示すように、組電池端子の端子孔が２つある。端子孔２つのうち、一つはマイナス側組電池端子の端子孔３１aであり、もう一つはプラス側組電池端子の端子孔３２aである。マイナス側組電池端子の端子孔３１aに、マイナス側チェッカ端子１１を差し込み、プラス側組電池端子の端子孔３２aに、第１プラス側チェッカ端子１２を差し込むことで組電池３の電圧を計測する。なお、図１１には一例として、J-5004の組電池３を示す。
【００１９】
一例として、１８Vの組電池J-5004の電圧をチェックする場合の作用について図３の（a）及び図４を用いて説明する。
最初に、操作者は、組電池用バッテリーチェッカ１の電圧セットスイッチ１４の矢印を１８V目盛り２０に合わせる。J-5004の組電池端子のマイナス側端子孔３１a及びプラス側端子孔３２aの中心距離はW１＝２０．０ｍｍである。組電池端子の端子孔３１a、３２aは、各々直径Ka＝１０．０ｍｍである。図４に示すように、組電池端子の端子孔３１aと３２aの最長距離はM２＝３０．０ｍｍである。また、マイナス側チェッカ端子１１と第１プラス側チェッカ端子１２の最長距離はM１＝２７．５ｍｍである。そのため、組電池端子の端子孔３１a、３２aの底面に組電池用バッテリーチェッカ１のチェッカ端子を押し当てたとき、組電池端子の端子孔３１a、３２aには、３０．０ｍｍ−２７．５ｍｍ（M２−M１）＝２．５ｍｍの余裕がある。すなわち、それぞれの組電池端子の端子孔３１a、３２aに対し、１．２５ｍｍの余裕を持って、各々マイナス側チェッカ端子１１と第１プラス側チェッカ端子１２を差し込むことができる。このとき、第２プラス側チェッカ端子１３は、組電池３に当たって力が加えられ、組電池用バッテリーチェッカ１の内部に押し込まれる。
【００２０】
組電池用バッテリーチェッカ１のチェッカ端子のピン部は直径T＝１．９ｍｍである。これは、組電池端子の端子孔３１a、３２aの直径Ka＝１０.０ｍｍの２分の１以下である。また、第１プラス側チェッカ端子１２は、図４に示すように、一対の(a)の組電池端子の端子孔３１a、３２aの直径Kaの中心線Haより、各々他方の組電池端子の方向の逆方向である両外側部位に位置する。
【００２１】
組電池端子と組電池用バッテリーチェッカ１のチェッカ端子が接触するとき、図８、図１０に示すように、マイナス側チェッカ端子１１がグランド４５に接続され、第１プラス側チェッカ端子１２が入力端子５４、及び入力端子４４に接続される。これにより、組電池３の電圧は、Vcc発生主要回路５５によりVcc電圧に変えられ、出力端子５６に供給される。さらに、組電池３の電圧は、図９の入力端子４８に供給される。
図８に示すように、電圧セットスイッチ１４は１８Vの目盛り２０にセットされているので、可変抵抗４７により第１コンパレータ４１のプラス入力に入力された電圧は１８Vに対応する分だけオフセットされる。さらに、第２コンパレータ４２を介し、電圧測定手段２の入力信号のためにオフセットされた電圧は、出力端子４６に供給され、図９の入力端子４９に供給される。
また、可変抵抗４７は、図示しない回路により、入力端子５０へ入力される。これにより、電圧測定手段２は、可変抵抗４７の電圧セットスイッチ１４が１８Vの目盛り２０にセットされていることを把握する。電圧測定手段２は、入力端子４９に入力された電圧と、入力端子５０に入力された電圧セットスイッチ１４でセットされた目盛りにより、電圧Vinを算出する。電圧Vinを算出した後、電圧Vinを出力端子５３により、電圧測定表示部１７に表示するための信号が出力される。また、組電池３が１８V用組電池の適正電圧範囲内であると判断された場合には、出力端子５１により、緑色のOKランプ１５が点灯する。一方、組電池３が１８V用組電池の適正電圧範囲内でないと判断された場合には、出力端子５２により、赤色のNGランプ１６が点灯する。これにより、操作者は、辺りが暗くても、赤色のランプか緑色のランプかを確実に識別することができ、所定の電圧を出力できる組電池を判断し、携行することができる。
【００２２】
図３の(b)に示す組電池は、１２Vの組電池J-5003の電圧をチェックする場合、(c)に示す組電池は、１２Vの組電池J-7001の電圧をチェックする場合であり、(d)に示す組電池は、１８Vの組電池J-7005の電圧をチェックする場合である。このように(b)、(c)、(d)では、各々チェックする組電池が異なり、外形寸法等も異なる。しかし、(b)の組電池端子の端子孔３１b、３２bの直径Kbと、(c)の組電池端子の端子孔３１c、３２cの直径Kcと、(d)の組電池端子の端子孔３１d、３２dの直径Kdとは、(a)の端子孔３１a、３２aの直径Kaと同じ１０．０ｍｍである。また、(b)の端子孔３１b、３２bの中心距離W1と、(c)の端子孔３１c、３２cの中心距離W1と、(d)の端子孔３１d、３２dの中心距離W１と、マイナス側チェッカ端子１１及び第１プラス側チェッカ端子１２との位置関係は、（a）の組電池と同じである。そのため、組電池(b)、(c)、(d)は、(a)の組電池の電圧をチェックする場合の作用と同じである。よって、図３の(b)、(c)、(d)の組電池の電圧をチェックする場合の作用についての詳細な説明を省略する。
また、図８、図１０における組電池用バッテリーチェッカ１の中の回路図は、７種類の組電池のうち、どの組電池の電圧を測定しても同じ回路を有するため、図３の(b)から(g)の組電池の回路図の詳細な説明を省略する。
【００２３】
次に、１２Vの組電池J-7002の電圧をチェックする場合の作用について図３の(e)を用いて説明する。
最初に、操作者は、組電池用バッテリーチェッカ１の電圧セットスイッチ１４の矢印を１２V目盛り１９に合わせる。J-7002の組電池端子のマイナス側端子孔３１e及びプラス側端子孔３２eの中心距離はW２＝３２．０ｍｍである。組電池端子の端子孔３１e、３２eは、各々直径Ke＝１０．０ｍｍである。図５に示すように、組電池端子の端子孔３１eと３２eの最短距離はM３＝２２．０ｍｍである。また、マイナス側チェッカ端子１１と第１プラス側チェッカ端子１２の最短距離はM４＝２３．７ｍｍである。そのため、組電池端子の端子孔３１e、３２eの底面に組電池用バッテリーチェッカ１のチェッカ端子を押し当てたとき、組電池の端子孔３１e、３２eには、２３．７ｍｍ−２２．０ｍｍ（M４−M３）＝１．７ｍｍの余裕がある。すなわち、それぞれの組電池の端子孔３１e、３２eに対し、０．８５ｍｍの余裕を持って、マイナス側チェッカ端子１１と第１プラス側チェッカ端子１２を差し込むことができる。このとき、第２プラス側チェッカ端子１３は、組電池に当たって力が加えられ、組電池用バッテリーチェッカ１の内部に押し込まれる。
【００２４】
組電池用バッテリーチェッカ１のチェッカ端子の直径T＝１．９ｍｍは、組電池端子の端子孔３１e、３２eの直径Ke＝１０．０ｍｍの２分の１以下である。また、一対の組電池端子孔３１e、３２eの直径Keの中心線Heより、各々他方の組電池端子の方向である両内側部位に位置する。
【００２５】
次に、９Vの組電池J-7006の電圧をチェックする場合の作用について図３の(f)を用いて説明する。
最初に、操作者は、組電池用バッテリーチェッカ１の電圧セットスイッチ１４の矢印を９V目盛り１８に合わせる。J-7006の組電池端子のマイナス側端子孔３１f及びプラス側端子孔３２fの中心距離はW３＝１４．０ｍｍである。組電池端子の端子孔３１ｆ、３２ｆは各々直径Kf＝６．０ｍｍである。図６に示すように、組電池端子の端子孔３１ｆと３２ｆの最短距離はM５＝８．０ｍｍである。また、マイナス側チェッカ端子１１と第２プラス側チェッカ端子１３の最短距離はM６＝１０．９ｍｍである。そのため、組電池端子の端子孔３１ｆ、３２ｆの底面に組電池用バッテリーチェッカ１のチェッカ端子を押し当てたとき、組電池の端子孔３１ｆ、３２ｆには１０．９ｍｍ−８．０ｍｍ（M６−M５）＝２．９ｍｍの余裕がある。すなわち、それぞれの組電池の端子孔３１ｆ、３２ｆに対し、１．４５ｍｍの余裕を持って、マイナス側チェッカ端子１１と第２プラス側チェッカ端子１３を差し込むことができる。このとき、第１プラス側チェッカ端子１２は、組電池に当たって力が加えられ、組電池用バッテリーチェッカ１の内部に押し込まれる。
【００２６】
最後に、１８Vの組電池J-7007の電圧をチェックする場合の作用について図３の(g)を用いて説明する。
最初に、操作者は、組電池用バッテリーチェッカ１の電圧セットスイッチ１４の矢印を１８V目盛り２０に合わせる。J-7007の組電池端子のマイナス側端子孔３１g及びプラス側端子孔３２gの中心距離はW４＝１１．８ｍｍである。組電池端子の端子孔３１ｇ、３２ｇは各々直径Kg＝３．０ｍｍである。組電池の端子孔３１ｇと３２ｇの最長距離はM８＝１４．８ｍｍである。また、マイナス側チェッカ端子と第２プラス側チェッカ端子１３の最長距離はM７＝１４．７ｍｍである。そのため、組電池端子の端子孔３１ｇ、３２ｇの底面に組電池用バッテリーチェッカ１のチェッカ端子を押し当てたとき、端子孔３１ｇ、３２ｇには１４．８ｍｍ−１４．７ｍｍ（M８−M７）＝０.１ｍｍの余裕がある。すなわち、それぞれの組電池の端子孔３１ｇ、３２ｇに対し、０．０５ｍｍの余裕を持って、マイナス側チェッカ端子１１と第２プラス側チェッカ端子１３を差し込むことができる。このとき、図７に示すように、第１バッテリーチェッカ端子１２は組電池に当たって力が加えられ、組電池用バッテリーチェッカ１の内部に押し込まれる。
【００２７】
図３の(a)から(e)は、組電池用バッテリーチェッカ１のチェッカ端子が、第１組電池の電圧のチェックをする場合を示すものである。(f)、(g)は、第２組電池の電圧をチェックする場合を示すものである。第１組電池と第２組電池はそれぞれ組電池端子の中心距離が相違している。
第１組電池は、さらに第３組電池、第４組電池に分けることができる。第３組電池と第４組電池は一対の組電池端子の中心距離が相違している。第３組電池は(a)、(b)、(c)、(d)のタイプの組電池であり、第４組電池は(e)のタイプの組電池である。
【００２８】
以上、詳細に説明したように、本考案の組電池用バッテリーチェッカ１は、
（１）単位電池が複数組み合わされて、一対の組電池端子により、所定の電圧を供給する組電池の電圧をチェックするためのチェッカ端子と、前記所定の電圧値をセットする電圧セットスイッチと、前記チェッカ端子間の電圧が正常か否かを表示する表示器を備える組電池用バッテリーチェッカにおいて、チェッカ端子が、マイナス側チェッカ端子１１、第１プラス側チェッカ端子１２、及び第２プラス側チェッカ端子１３を備え、一対の組電池端子の中心距離が相違する第１組電池と第２組電池に対して、前記マイナス側チェッカ端子１１と前記第１プラス側チェッカ端子１２を用いて、前記第１組電池の電圧をチェックし、前記マイナス側チェッカ端子１１と前記第２プラス側チェッカ端子１３を用いて、前記第２組電池の電圧をチェックすることを特徴とするので、例えば、一対の組電池端子の中心距離がW１＝２０．０ｍｍの第１組電池に対して、マイナス側チェッカ端子１１と第１プラス側チェッカ端子１２との中心距離がL１＝２５．６ｍｍのマイナス側チェッカ端子１１と第１プラス側チェッカ端子１２を用いて測定し、一対の組電池端子の中心距離がW４＝１１．８ｍｍの第２組電池に対して、マイナス側チェッカ端子１１と第２プラス側チェッカ端子１３との中心距離がL２＝１２．８ｍｍのマイナス側チェッカ端子１１と第２プラス側チェッカ端子１３を用いて測定しているため、1つの組電池用バッテリーチェッカ１により、組電池端子の中心距離の異なる複数種類の組電池の電圧をチェックすることができる。
【００２９】
（２）（１）に記載する組電池用バッテリーチェッカにおいて、前記一対の組電池端子が端子孔３１a〜３１e、３２a〜３２eで構成され、前記端子孔の直径Ka〜Ke＝１０．０ｍｍに対して、前記マイナス側チェッカ端子１１、前記第１プラス側チェッカ端子１２、及び前記第２プラス側チェッカ端子１３の直径T＝１．９ｍｍが１／２以下であること、前記一対の組電池端子の中心距離が相違する第３組電池と第４組電池の電圧をチェックすること、前記第３組電池の電圧をチェックするときに、前記マイナス側チェッカ端子１１と前記第１プラス側チェッカ端子１２が、前記第３組電池の一対の前記端子孔３１a、３２a等の両外側部位に位置すること、前記第４組電池の電圧をチェックするときに、前記マイナス側チェッカ端子１１と前記第１プラス側チェッカ端子１２が、前記第４組電池の一対の前記端子孔３１e、３２eの両内側部位に位置すること、を特徴とするので、例えば、一対の組電池端子の中心距離がW１＝２０.０ｍｍの第３組電池に対して、マイナス側チェッカ端子１１と第１プラス側チェッカ端子１２との中心距離がL１＝２５．６ｍｍのマイナス側チェッカ端子１１と第１プラス側チェッカ端子１２を用いて、組電池端子の端子孔の両外側部位に位置させて測定し、一対の組電池端子の中心距離がW２＝３２.０ｍｍの第４組電池に対して、マイナス側チェッカ端子１１と第１プラス側チェッカ端子１２との中心距離がL１＝２５．６ｍｍのマイナス側チェッカ端子１１と第１プラス側チェッカ端子１２を用いて、組電池端子の端子孔３１e、３２eの両内側部位に位置させて測定しているため、1つの組電池用バッテリーチェッカ１により、組電池端子の中心距離の異なる複数種類の組電池の電圧をチェックすることができる。
【００３０】
以上において、本考案を実施形態に即して説明したが、本考案は上記実施形態に限定されるものではなく、その要旨を逸脱しない範囲で、適宜変更して適用できる。
例えば、本実施形態では、７種類の組電池のみ説明をしたが、異なる大きさの組電池に対しても適用しうる。
【符号の説明】
【００３１】
１      組電池用バッテリーチェッカ
２      電圧測定手段
３      組電池
１１    マイナス側チェッカ端子
１２    第１プラス側チェッカ端子
１３    第２プラス側チェッカ端子
１４    電圧セットスイッチ
４１    第１コンパレータ
４７    可変抵抗
５５    Vcc発生主要回路
【図１】
0003180198.tif 000003
【図２】
0003180198.tif 000004
【図３】
0003180198.tif 000005
【図４】
0003180198.tif 000006
【図５】
0003180198.tif 000007
【図６】
0003180198.tif 000008
【図７】
0003180198.tif 000009
【図８】
0003180198.tif 000010
【図９】
0003180198.tif 000011
【図１０】
0003180198.tif 000012
【図１１】
0003180198.tif 000013